(57)【要約】      （修正有）【課題】患者等に点滴される補液や溶液状の薬剤等を収納した点滴容器を凍結させた場合に発生する結露を確実に防止できる点滴容器を提供する。【解決手段】軟質素材からなる点滴容器１１であって、前記点滴容器１１内部の補液や溶液状の薬剤が凍結されており、前記点滴容器１１の表面がフィルム状素材２１で包装されていることを特徴とする、点滴容器である。前記点滴容器１１の表面の包装は、シュリンク包装、ラッピング包装、またはアルミ系複合素材を用いた包装である。【選択図】図１
2020092985.tif 000002
【特許請求の範囲】
【請求項１】
軟質素材からなる点滴容器であって、しかも該点滴容器内部の補液や溶液状の薬剤が凍結されており、この内部の補液や溶液状の薬剤を凍結させた点滴容器の表面がフィルム状素材で包装されていることを特徴とする点滴容器。
【請求項２】
前記内部の補液や溶液状の薬剤を凍結させた点滴容器表面の包装が、シュリンク包装にて包装されていることを特徴とする請求項１に記載の点滴容器。
【請求項３】
前記内部の補液や溶液状の薬剤を凍結させた点滴容器表面の包装が、ラッピング包装にて包装されていることを特徴とする請求項１に記載の点滴容器。
【請求項４】
前記内部の補液や溶液状の薬剤を凍結させた点滴容器表面の包装が、アルミ系複合素材を用いて包装されていることを特徴とする請求項１に記載の点滴容器。
【発明の詳細な説明】
【技術分野】
【０００１】
本発明は、患者等に点滴される補液や溶液状の薬剤等を収納した点滴容器に関する。
【背景技術】
【０００２】
本発明者らは、ナノバブルの研究を進めていたところ、以下のような知見を得るに至った。
すなわち図２に示すように、高温＼常圧において分子は自由に運動し、温度が高いほど高速に運動する。
他方、図３に示すように、低温＼高圧または固体化において分子の運動は遅くなり、最終的には点位置に固定して振動する。
それを液体に関してみると、図４に示すように、低温＼高圧または固体化になると溶解していた常温＼常圧における溶解気体や溶質が析出する。また矢印のように低温＼高圧または固体化になると気泡はせん断され、気体のナノバブル化および溶質クラスターのナノ化として独立した大きさになるのである。
【０００３】
そして、本発明者らはこのような挙動を呈するナノバブルの利用について鋭意研究してきたところ、患者等に点滴される補液や溶液状の薬剤等への応用に想到するに至ったのである。
ちなみに、表1に示すように、点滴容器中の氷結前のナノ粒子、ナノバブルは製作（投入時）の作業工程によりナノが計測されますが、約3ヶ月で減衰してしまう。他方、氷結後においては約3ヶ月経過しても減衰はほとんど見られなかった。
【表１】
2020092985.tif 000003
【先行技術文献】
【特許文献】
【０００４】
【特許文献１】特になし
【発明の概要】
【発明が解決しようとする課題】
【０００５】
その際、低温＼高圧または固体化にして溶解していた常温＼常圧における溶解気体や溶質を析出させ、また気泡の微細化によってナノバブルを発生させるには点滴容器を凍結することとなるが、点滴容器においては凍結の際の結露の防止が極めて大きな課題となることが判明したのである。
【０００６】
そこで本発明は、患者等に点滴される補液や溶液状の薬剤等を収納した点滴容器を凍結させた場合に発生する結露を確実に防止することが可能な点滴容器を提供することを目的とするものである。
【課題を解決するための手段】
【０００７】
すなわち、前記目的を達成するために本発明の点滴容器は、軟質素材からなる点滴容器であって、しかも該点滴容器内部の補液や溶液状の薬剤が凍結されており、この内部の補液や溶液状の薬剤が凍結させた点滴容器の表面がフィルム状素材で包装されていることを特徴とするものである。
【０００８】
本発明の点滴容器において、前記内部の補液や溶液状の薬剤を凍結させた点滴容器表面の包装は、シュリンク包装にて包装されていることをも特徴とするものである。
【０００９】
本発明の点滴容器において、前記内部の補液や溶液状の薬剤を凍結させた点滴容器表面の包装は、ラッピング包装にて包装されていることをもとするものである。
【００１０】
本発明の点滴容器において、前記内部の補液や溶液状の薬剤を凍結させた点滴容器表面の包装は、アルミ系複合素材を用いて包装されていることをも特徴とするものである。
【発明の効果】
【００１１】
請求項１の点滴容器は、軟質素材からなる点滴容器であって、しかも該点滴容器内部の補液や溶液状の薬剤が凍結されており、この内部の補液や溶液状の薬剤が凍結された点滴容器の表面がフィルム状素材で包装されており、患者等に点滴される補液や溶液状の薬剤等を収納した点滴容器を凍結させた場合に発生する結露を確実に防止することが可能となった。
【００１２】
また請求項２の点滴容器は、前記内部の補液や溶液状の薬剤を凍結させた点滴容器表面の包装を、シュリンク包装にて包装するようにしたので、非常に簡単な作業で点滴容器表面に確実に密着させることができ、しかも確実に結露を防止することが可能な点滴容器を提供することができる。
【００１３】
請求項３の点滴容器は、前記内部の補液や溶液状の薬剤を凍結させた点滴容器表面の包装を、ラッピング包装にて包装するようにしたので、非常に簡単な作業で点滴容器表面に迅速に密着させることができ、しかも確実に結露を防止することが可能な点滴容器を提供することができる。
【００１４】
請求項４の点滴容器は、前記内部の補液や溶液状の薬剤を凍結させた点滴容器表面の包装は、アルミ系複合素材を用いて包装するようにしたので、非常に簡単な作業で点滴容器表面に密着させることができ、しかも確実に結露を防止することが可能な点滴容器を提供することができる。
【図面の簡単な説明】
【００１５】
【図１】本発明の点滴容器の実施例を示す概略正面図である。
【図２】本発明の点滴容器に応用される基本的なナノバブルの発生機構を示し、高温＼常圧時の分子の挙動を示す概略説明図である。
【図３】低温＼高圧または固体化時の分子の挙動を示す概略説明図である。
【図４】低温＼高圧または固体化時の気泡の挙動と、その際に気泡が微細化される態様を示す概略説明図である。
【発明を実施するための形態】
【００１６】
以下、本発明の点滴容器に係る実施の形態を図面に基いて詳細に説明する。
図１は点滴容器の１実施例を示すものであり、補液や溶液状の薬剤を収納する点滴容器１１を示している。
本実施例における点滴容器１１は、上端側に点滴スタンドのフック（図示せず）等へ係合する係止孔１２を備えており、また下端に補液や溶液状の薬剤を滴下させるチューブ１３とを備えている。
【００１７】
前記実施例において、内部の補液や溶液状の薬剤が凍結された点滴容器１１はその表面がフィルム状素材２１で包装されている。
したがって、患者等に点滴される補液や溶液状の薬剤等を収納した点滴容器１１を凍結させた場合に発生する結露を確実に防止することができるようになった。
【００１８】
前期フィルム状素材２１としては、前記内部の補液や溶液状の薬剤を凍結させた点滴容器１１表面の包装を、シュリンク包装にて包装するようにすることができる。
すなわち、使用する熱収縮性プラスチックフィルムで点滴容器１１をラフに包み、シュリンクトンネル（加熱装置）によりフィルムを点滴容器１１の形状に収縮させるため、非常に簡単な作業で点滴容器１１表面に確実に密着させることができ、しかも確実に結露を防止することが可能となった。
【００１９】
また前記フィルム状素材２１としては、前記内部の補液や溶液状の薬剤を凍結させた点滴容器１１表面の包装を、ラッピング包装にて包装するようにすることもできる。
すなわち、使用するラッピング用フィルムで点滴容器１１を包み込むため、非常に簡単な作業で点滴容器１１表面に密着させることができ、しかも確実に結露を防止することが可能となった。
【００２０】
さらに前記フィルム状素材２１としては、前記内部の補液や溶液状の薬剤を凍結させた点滴容器１１表面の包装を、アルミ系複合素材にて包装するようにすることもできる。
すなわち、使用するアルミ系複合素材、例えばアルミ蒸着フィルム等で点滴容器１１を包み込むため、非常に簡単な作業で点滴容器１１表面に密着させることができ、しかも確実に結露を防止することが可能となった。
【産業上の利用可能性】
【００２１】
以上の説明から理解できるように、本発明のフィルム状素材は非常に簡単な作業で点滴容器表面に確実に密着させることができ、しかも確実に結露を防止することが可能となったため、ナノバブルを十分に活用することができる点滴容器を提供することが可能となった。
本発明の点滴容器は、本発明の要旨を変更しない限り、補液や溶液状の薬剤の収納の用途以外にも応用することができる。
【符号の説明】
【００２２】
１１  点滴容器
１２  係止孔
１３  チューブ
２１  フィルム状素材
【図１】
2020092985.tif 000004
【図２】
2020092985.tif 000005
【図３】
2020092985.tif 000006
【図４】
2020092985.tif 000007